(57)【要約】【課題】障子の脱落を防止しつつ、がたつきを抑えた円滑なスライドを可能とする建具を提供する。【解決手段】建具１０は、ガイドレール２２と、ガイド装置４０とを備える。ガイドレール２２は、上枠１２ａから垂下されたレール片２６と、レール片２６の先端部から突出した第１突出片２６ａ及び第２突出片２６ｂとを有し、ガイド装置４０は、上框３０ａに設けられるケース４２と、ケース４２の表面から軸方向に進退可能に突出し、互いの軸間距離が拘束された第１軸部材６０ａ及び第２軸部材６０ｂと、第１軸部材６０ａに設けられ、外周面の下縁部がレール片２６の第１突出片２６ａに当接配置されて水平方向に回転可能な第１回転ローラ４４と、第２軸部材６０ｂに設けられ、レール片２６の第２突出片２６ｂに当接配置された第２回転ローラ４５とを有する。【選択図】図３
2018112030.tif 000002
【特許請求の範囲】
【請求項１】
開口枠と、該開口枠に対してスライド可能に支持される障子とを備え、前記障子は、前記開口枠の下枠に設けられたレール上に転動可能に載置される戸車と、前記開口枠の上枠に設けられたガイドレールに移動可能に支持されるガイド装置とを有する建具であって、
前記ガイドレールは、前記上枠から垂下されたレール片と、
前記レール片の先端部から該レール片の一面側に突出した第１突出片と、
前記レール片の先端部から該レール片の他面側に突出した第２突出片とを有し、
前記ガイド装置は、前記障子の上框又は縦框に設けられるケースと、
前記ケースの表面から軸方向に進退可能に突出し、互いの軸間距離が拘束された一対の軸部材と、
一方の前記軸部材に設けられ、外周面の下縁部が前記レール片の前記第１突出片に当接配置されて水平方向に回転可能な回転ローラと、
他方の前記軸部材に設けられ、前記レール片の前記第２突出片に当接配置されたガイド部材とを有することを特徴とする建具。
【請求項２】
請求項１に記載の建具において、
前記ガイドレールは、前記レール片の一側面側及び他側面側にそれぞれ間隔を介して設けられ、前記上枠から垂下された一対のガイド片を有し、
前記レール片の一側面と、一方の前記ガイド片との間に前記回転ローラを移動可能に収納する第１レール溝が形成され、
前記レール片の他側面と、他方の前記ガイド片との間に前記ガイド部材を移動可能に収納する第２レール溝が形成されていることを特徴とする建具。
【請求項３】
請求項２に記載の建具において、
一方の前記ガイド片の先端部から前記第１レール溝へと突出した第１ガイド突出片と、
他方の前記ガイド片の先端部から前記第２レール溝へと突出した第２ガイド突出片とを有し、
前記第１突出片及び前記第２突出片の上面よりも、前記第１ガイド突出片及び前記第２ガイド突出片の上面が低位置にあることを特徴とする建具。
【請求項４】
開口枠と、該開口枠に対してスライド可能に支持される障子とを備え、前記障子は、前記開口枠の下枠に設けられたレール上に転動可能に載置される戸車と、前記開口枠の上枠に設けられたガイドレールに移動可能に支持されるガイド装置とを有する建具であって、
前記ガイドレールは、前記上枠から垂下され、互いに見込み方向に間隔を介して並んだ一対のレール片と、
一方の前記レール片の先端部から他方の前記レール片に向かう方向に突出した第１突出片と、
他方の前記レール片の先端部から一方の前記レール片に向かう方向に突出した第２突出片とを有し、
前記ガイド装置は、前記障子の上框又は縦框に装着されるケースと、
前記ケースの表面から軸方向に進退可能に突出し、互いの軸間距離が拘束された一対の軸部材と、
一方の前記軸部材に設けられ、外周面の下縁部が一方の前記レール片の前記第１突出片に当接配置されて水平方向に回転可能な回転ローラと、
他方の前記軸部材に設けられ、他方の前記レール片の前記第２突出片に当接配置されたガイド部材とを有することを特徴とする建具。
【請求項５】
請求項４に記載の建具において、
前記ガイドレールは、前記一対のレール片の間となる位置で前記上枠から垂下されたガイド片を有し、
一方の前記レール片の側面と、前記ガイド片の一側面との間に前記回転ローラを移動可能に収納する第１レール溝が形成され、
他方の前記レール片の側面と、前記ガイド片の他側面との間に前記ガイド部材を移動可能に収納する第２レール溝が形成されていることを特徴とする建具。
【請求項６】
請求項５に記載の建具において、
前記ガイド片の先端部から該ガイド片の一面側に突出した第１ガイド突出片と、
前記ガイド片の先端部から該ガイド片の他面側に突出した第２ガイド突出片とを有し、
前記第１突出片及び前記第２突出片の上面よりも、前記第１ガイド突出片及び前記第２ガイド突出片の上面が低位置にあることを特徴とする建具。
【請求項７】
請求項１〜６のいずれか１項に記載の建具において、
前記ガイド部材を水平方向に回転可能な回転ローラで構成したことを特徴とする建具。
【発明の詳細な説明】
【技術分野】
【０００１】
本発明は、開口枠に対して障子をスライド可能に支持した建具に関する。
【背景技術】
【０００２】
片引き式や引違い式等の建具では、開口枠の下枠に設けたレール上に障子の下框に設けた戸車を転動可能に載置することで、開口枠で障子をスライド可能に支持した構成がある。この種の建具では、障子の上框と開口枠の上枠との間にガイド構造を設け、障子の開閉を円滑にすることが行われている。
【０００３】
例えば特許文献１には、上框の幅中心から見込み方向に位置ずれした一対の回転ローラを有する構成が開示されている。この構成では、一対の回転ローラを上枠に形成した下向きのガイド溝内に配置することで、障子の上縁部のスライドをガイドしている。
【先行技術文献】
【特許文献】
【０００４】
【特許文献１】実開昭５９−４０４６９号公報
【発明の概要】
【発明が解決しようとする課題】
【０００５】
上記特許文献１の構成は一対の回転ローラをガイド溝内に挿入しただけの構成である。このため、下框の戸車が下枠のレールから脱輪すると、上框の回転ローラがガイド溝から抜け出し、障子自体が開口枠から脱落する可能性がある。またこの構成では、開口枠や框の製造誤差や組付誤差によって回転ローラの上下位置が異なる場合に備え、上枠に設けるガイド溝の上下寸法を大きく確保しておく必要がある。このため、上枠の見付け幅が増大し、建具の開口面積が低減されることになる。この際、障子が下枠のレールの湾曲等によってスライド時に上下動すると、回転ローラがガイド溝内を摺動しながら上下動して摩耗し、がたつきや異音を発生する可能性もある。また、回転ローラは支持板のルーズ穴により位置調整を行うが、調整の精度によっては回転ローラとガイド溝の間に隙間が生じてがたつきが生じる可能性がある。反対に、回転ローラとガイド溝の間に隙間がない場合は、回転ローラがガイド溝に押し当てられて回転ローラの回転が阻害される可能性もある。
【０００６】
本発明は、上記従来技術の課題を考慮してなされたものであり、障子の脱落を防止しつつ、調整の必要なくがたつきを抑えた円滑なスライドを可能とする建具を提供することを目的とする。
【課題を解決するための手段】
【０００７】
本発明に係る建具は、開口枠と、該開口枠に対してスライド可能に支持される障子とを備え、前記障子は、前記開口枠の下枠に設けられたレール上に転動可能に載置される戸車と、前記開口枠の上枠に設けられたガイドレールに移動可能に支持されるガイド装置とを有する建具であって、前記ガイドレールは、前記上枠から垂下されたレール片と、前記レール片の先端部から該レール片の一面側に突出した第１突出片と、前記レール片の先端部から該レール片の他面側に突出した第２突出片とを有し、前記ガイド装置は、前記障子の上框又は縦框に設けられるケースと、前記ケースの表面から軸方向に進退可能に突出し、互いの軸間距離が拘束された一対の軸部材と、一方の前記軸部材に設けられ、外周面の下縁部が前記レール片の前記第１突出片に当接配置されて水平方向に回転可能な回転ローラと、他方の前記軸部材に設けられ、前記レール片の前記第２突出片に当接配置されたガイド部材とを有することを特徴とする。
【０００８】
このような構成によれば、各回転ローラは、互いの間にレール片を挟持した状態で、調整の必要なく外周面の一面側がレール片に当接した状態となる。このため、障子がスライドした場合、各回転ローラはレール片に対して当接しながら所定の一方向に回転する。従って、各回転ローラの回転が円滑になり、ガイド装置によって障子のスライドが確実にガイドされる。また、建具の製造誤差や組付誤差によって下枠のレールが湾曲等を生じており、スライド時に障子が上下動した場合であっても、各軸部材、つまり各回転ローラがケース、つまり障子に対して軸方向に進退する。その結果、各回転ローラとガイドレールとのガイド状態は変化せず、障子のみが上下動する。このため、各回転ローラがガイドレールに対して上下動して摩耗し、がたつきや異音を発生することや開閉力が重くなることも防止できる。さらに、当該建具では、仮に下框の戸車がレールから脱輪した場合には障子が下方に落ちる。しかしながら、この脱輪時には、各回転ローラが各突出片に係止されるため、障子が開口枠から脱落することが防止される。
【０００９】
本発明に係る建具において、前記ガイドレールは、前記レール片の一側面側及び他側面側にそれぞれ間隔を介して設けられ、前記上枠から垂下された一対のガイド片を有し、前記レール片の一側面と、一方の前記ガイド片との間に前記回転ローラを移動可能に収納する第１レール溝が形成され、前記レール片の他側面と、他方の前記ガイド片との間に前記ガイド部材を移動可能に収納する第２レール溝が形成された構成であってもよい。そうすると、ガイドレールによってより確実に各回転ローラをガイドしつつ、障子の脱落を一層確実に防止できる。
【００１０】
本発明に係る建具において、一方の前記ガイド片の先端部から前記第１レール溝へと突出した第１ガイド突出片と、他方の前記ガイド片の先端部から前記第２レール溝へと突出した第２ガイド突出片とを有し、前記第１突出片及び前記第２突出片の上面よりも、前記第１ガイド突出片及び前記第２ガイド突出片の上面が低位置にある構成であってもよい。そうすると、各回転ローラが第１突出片及び第２突出片に当接すると同時に、第１ガイド突出片及び第２ガイド突出片に当接し、その回転が相殺されて円滑な回転ができなくなることを回避できる。
【００１１】
本発明に係る建具は、開口枠と、該開口枠に対してスライド可能に支持される障子とを備え、前記障子は、前記開口枠の下枠に設けられたレール上に転動可能に載置される戸車と、前記開口枠の上枠に設けられたガイドレールに移動可能に支持されるガイド装置とを有する建具であって、前記ガイドレールは、前記上枠から垂下され、互いに見込み方向に間隔を介して並んだ一対のレール片と、一方の前記レール片の先端部から他方の前記レール片に向かう方向に突出した第１突出片と、他方の前記レール片の先端部から一方の前記レール片に向かう方向に突出した第２突出片とを有し、前記ガイド装置は、前記障子の上框又は縦框に装着されるケースと、前記ケースの表面から軸方向に進退可能に突出し、互いの軸間距離が拘束された一対の軸部材と、一方の前記軸部材に設けられ、外周面の下縁部が一方の前記レール片の前記第１突出片に当接配置されて水平方向に回転可能な回転ローラと、他方の前記軸部材に設けられ、他方の前記レール片の前記第２突出片に当接配置されたガイド部材とを有することを特徴とする。
【００１２】
このような構成によれば、各回転ローラは、調整の必要なくそれぞれの外周面が各レール片に当接した状態となる。このため、障子がスライドした場合、各回転ローラは各レール片に対して当接しながら所定の一方向に回転する。従って、各回転ローラの回転が円滑になり、ガイド装置によって障子のスライドが確実にガイドされる。また、建具の製造誤差や組付誤差によって下枠のレールが湾曲等を生じており、スライド時に障子が上下動した場合であっても、各軸部材、つまり各回転ローラがケース、つまり障子に対して軸方向に進退する。その結果、各回転ローラとガイドレールとのガイド状態は変化せず、障子のみが上下動する。このため、各回転ローラがガイドレールに対して上下動して摩耗し、がたつきや異音を発生することや開閉力が重くなることも防止できる。さらに、当該建具では、仮に下框の戸車がレールから脱輪した場合には障子が下方に落ちる。しかしながら、この脱輪時には、各回転ローラが各突出片に係止されるため、障子が開口枠から脱落することが防止される。
【００１３】
本発明に係る建具において、前記ガイドレールは、前記一対のレール片の間となる位置で前記上枠から垂下されたガイド片を有し、一方の前記レール片の側面と、前記ガイド片の一側面との間に前記回転ローラを移動可能に収納する第１レール溝が形成され、他方の前記レール片の側面と、前記ガイド片の他側面との間に前記ガイド部材を移動可能に収納する第２レール溝が形成された構成であってもよい。そうすると、ガイドレールによってより確実に各回転ローラをガイドしつつ、障子の脱落を一層確実に防止できる。
【００１４】
本発明に係る建具において、前記ガイド片の先端部から該ガイド片の一面側に突出した第１ガイド突出片と、前記ガイド片の先端部から該ガイド片の他面側に突出した第２ガイド突出片とを有し、前記第１突出片及び前記第２突出片の上面よりも、前記第１ガイド突出片及び前記第２ガイド突出片の上面が低位置にある構成であってもよい。そうすると、各回転ローラが第１突出片及び第２突出片に当接すると同時に、第１ガイド突出片及び第２ガイド突出片に当接し、その回転が相殺されて円滑な回転ができなくなることを回避できる。
【００１５】
本発明に係る建具において、前記ガイド部材を水平方向に回転可能な回転ローラで構成してもよい。そうすると、ガイド装置を一層円滑にガイドレールに対して走行させることができる。
【発明の効果】
【００１６】
本発明によれば、障子の脱落を防止しつつ、吊り込み時の調整の必要なくがたつきを抑えた円滑なスライドが可能となる。
【図面の簡単な説明】
【００１７】
【図１】図１は、本発明の第１の実施形態に係る建具の縦断面図である。
【図２】図２は、図１に示す建具の横断面図である。
【図３】図３は、ガイドレールとガイド装置との係合部分を拡大した縦断面図である。
【図４】図４は、ガイド装置の斜視図である。
【図５Ａ】図５Ａは、ガイド装置の平面図である。
【図５Ｂ】図５Ｂは、ガイド装置の底面図である。
【図６Ａ】図６Ａは、各回転ローラを最低位置まで退動させた状態でのガイド装置の側面図である。
【図６Ｂ】図６Ｂは、各回転ローラを最高位置まで進動させた状態でのガイド装置の側面図である。
【図７】図７は、本発明の第２の実施形態に係る建具の縦断面図である。
【発明を実施するための形態】
【００１８】
以下、本発明に係る建具について好適な実施の形態を挙げ、添付の図面を参照しながら詳細に説明する。
【００１９】
図１は、本発明の第１の実施形態に係る建具１０の縦断面図である。図２は、図１に示す建具１０の横断面図である。
【００２０】
図１及び図２に示すように、建具１０は、開口枠１２と、障子１４と、障子１５とを備える。建具１０は、建物躯体の開口部に固定された開口枠１２に対し、障子１４をスライド可能に設け、障子１５を嵌め殺した構成である。建具１０は、浴室と脱衣室との間を開閉可能に仕切る浴室扉である。本発明は、浴室扉以外の建具、例えば窓サッシや室内外を仕切る扉等の各種引戸に利用できる。また障子１４，１５は両方共スライド可能な構成であってもよく、障子の設置枚数は１枚又は３枚以上であってもよい。
【００２１】
図１及び図２に示すように、開口枠１２は、浴室の出入り口となる建物の開口部に固定される。開口枠１２は、上枠１２ａと、下枠１２ｂと、左右の縦枠１２ｃ，１２ｄとを四周枠組みした構成である。各枠１２ａ〜１２ｄは、例えばアルミニウム等の金属又は塩化ビニル樹脂（ＰＶＣ）等の樹脂の押出形材である。
【００２２】
本出願において、見込み方向とは建具１０の室内外方向、つまり浴室側から脱衣室側に向かう方向又はその逆方向（図中に矢印Ｚで示す方向）をいい、見込み面とは見込み方向に沿って延在する面をいう。見付け方向とは見込み方向に直交する方向であり、上下方向に長尺な縦枠１２ｃ，１２ｄ等の場合はその長手方向に直交する左右方向（図中に矢印Ｘで示す方向）をいい、左右方向に長尺な上枠１２ａ及び下枠１２ｂ等の場合はその長手方向に直交する上下方向（図中に矢印Ｙで示す方向）をいう。見付け面とは見付け方向に沿った面をいう。枠状部材の内側（内周）とは、例えば開口枠１２の障子１４，１５が配置される枠内部分をいう。枠状部材の外側（外周）とは、例えば開口枠１２の建物躯体に固定される枠外部分をいう。
【００２３】
下枠１２ｂの内側見込み面１６には長手方向に延びたレール１８が設けられている。レール１８は、下枠１２ｂの内側見込み面１６から鉛直上方に向かって突出し、その先端が断面円弧形状となっている。本実施形態の場合、レール１８は内側見込み面１６に形成された凹条１９に嵌合固定された構成である。レール１８は下枠１２ｂと一体成形されたものでもよい。
【００２４】
上枠１２ａの内側見込み面２０には長手方向に延びたガイドレール２２が設けられている。ガイドレール２２は浴室側から脱衣室側に向かって順に、第１ガイド片２４と、レール片２６と、第２ガイド片２８とを有する。各ガイド片２４、２８及びレール片２６は、内側見込み面２０から垂下されている。ガイドレール２２の詳細な構造は後述する。
【００２５】
図１及び図２に示すように、スライド障子である障子１４は、上框３０ａ、下框３０ｂ、戸先框３０ｃ及び召合せ框３０ｄを四周框組みした框体３０を備える。框体３０の矩形の開口部にはガラス板や樹脂板等の面材３２が設けられている。
【００２６】
下框３０ｂの外側見込み面３４には戸車３６が設けられている。戸車３６は、軸受等を収納し、下框３０ｂの中空部内に配置された戸車ケース３７に対して回転可能に軸支されている。戸車３６は、その略下半分が外側見込み面３４に形成された開口から下方に露出している。戸車３６は、下枠１２ｂのレール１８上に転動可能に載置される。戸車３６は、障子１４の荷重を受けつつレール１８に沿って障子１４を円滑にスライドさせる部品である。つまり障子１４は下荷重構造で開口枠１２に支持される。
【００２７】
上框３０ａの外側見込み面３８にはガイド装置４０が設けられている。ガイド装置４０は、ケース４２と、第１回転ローラ４４と、第２回転ローラ（ガイド部材）４５とを有する。ケース４２は、各回転ローラ４４，４５を回転可能に軸支している。各回転ローラ４４，４５は、上枠１２ａのガイドレール２２によってガイドされ、障子１４の上縁部のスライドをガイドする。ガイド装置４０の詳細な構造は後述する。
【００２８】
面材３２は、各框３０ａ〜３０ｄの内側見込み面の浴室側端部に形成された開口溝４６に対してその四周縁部が挿入支持されている。面材３２は框体３０（障子１４）の見込み方向中心よりも浴室側にオフセットした位置に配置されている。このため、障子１４は脱衣室側よりも浴室側に重心を持った構成となっている。面材３２の浴室側面及び脱衣室側面にはそれぞれハンドル４８が突出固定されている。ハンドル４８は障子１４のスライド操作用の取っ手である。
【００２９】
図２に示すように、嵌め殺し障子である障子１５は、框体５０の矩形の開口部にガラス板や樹脂板等の面材５２を設けた構成である。障子１５は、障子１４よりも脱衣室側にオフセットして配置されている。開口枠１２は、障子１５の浴室側に形成された内側空間が障子１４の戸袋空間となる。
【００３０】
図１及び図２に示すように、障子１４と開口枠１２との間、及び障子１４と障子１５との間には、止水用の止水材５４が適宜配設されている。
【００３１】
次に、ガイドレール２２及びガイド装置４０の具体的な構成例を説明する。図３は、ガイドレール２２とガイド装置４０との係合部分を拡大した縦断面図である。
【００３２】
先ず、ガイドレール２２の構成を説明する。図３に示すように、ガイドレール２２は、見込み方向中央のレール片２６の一側面側及び他側面側にガイド片２４，２８を設けた構成である。ガイドレール２２には、第１レール溝５６及び第２レール溝５７が設けられている。
【００３３】
第１レール溝５６は、ガイド装置４０の第１回転ローラ４４を収納する空間である。第１レール溝５６は、レール片２６の一側面と第１ガイド片２４との間に形成されている。第２レール溝５７は、ガイド装置４０の第２回転ローラ４５を収納する空間である。第２レール溝５７は、レール片２６の他側面と第２ガイド片２８との間に形成されている。
【００３４】
レール片２６は、凹状に形成された上枠１２ａの内側見込み面２０の中心から垂下されている。レール片２６は、その先端部に第１突出片２６ａ及び第２突出片２６ｂが形成された断面略Ｔ字形状となっている。第１突出片２６ａは、レール片２６の先端部から浴室側に向かって突出した突起状の板片である。第２突出片２６ｂは、レール片２６の先端部から脱衣室側に向かって突出した突起状の板片である。
【００３５】
第１ガイド片２４は、凹状に形成された上枠１２ａの内側見込み面２０の浴室側端部から垂下されている。本実施形態の場合、第１ガイド片２４は、上枠１２ａの内側見込み面２０から浴室側の見付け面までを一体的に連結している壁部によって構成されている。第１ガイド片２４の先端部には、第１レール溝５６へと突出した第１ガイド突出片２４ａが形成されている。第２ガイド片２８は、凹状に形成された上枠１２ａの内側見込み面２０の脱衣室側端部から垂下されている。第２ガイド片２５の先端部には、第２レール溝５７へと突出した第２ガイド突出片２８ａが形成されている。
【００３６】
第１レール溝５６は、互いに対向する第１突出片２６ａと第１ガイド突出片２４ａによって下側開口部が幅狭に構成され、その内部に第１回転ローラ４４が収納される。第２レール溝５７は、互いに対向する第２突出片２６ｂと第２ガイド突出片２８ａによって下側開口部が幅狭に構成され、その内部に第２回転ローラ４５が収納される。本実施形態の場合、第１突出片２６ａ及び第２突出片２６ｂの上面Ｓ１よりも、第１ガイド突出片２４ａ及び第２ガイド突出片２８ａの上面Ｓ２が低位置にある。これにより、上面Ｓ１，Ｓ２間に高低差Ｈ１が形成されている。
【００３７】
次に、ガイド装置４０の構成を説明する。図４は、ガイド装置４０の斜視図である。図５Ａは、ガイド装置４０の平面図であり、図５Ｂは、ガイド装置４０の底面図である。図６Ａは、各回転ローラ４４，４５を最低位置まで退動させた状態でのガイド装置４０の側面図であり、図６Ｂは、各回転ローラ４４，４５を最高位置まで進動させた状態でのガイド装置４０の側面図である。
【００３８】
図３〜図５Ｂに示すように、ガイド装置４０は、ケース４２の表面で一対の回転ローラ４４，４５を軸支した構成である。
【００３９】
ケース４２は、各回転ローラ４４，４５の軸受部として機能しつつ、ガイド装置４０の上框３０ａに対する取付部材としても機能する。ケース４２は、プレート部４２ａと、取付部４２ｂと、端面カバー部４２ｃとを有する。これらプレート部４２ａ、取付部４２ｂ及び端面カバー部４２ｃは、例えば樹脂で一体成形される。
【００４０】
プレート部４２ａは、水平方向に沿う薄いプレート状部分である。プレート部４２ａは、上框３０ａの外側見込み面３８を構成する凹状部３８ａに対して上框３０ａの小口側から嵌挿され、外側見込み面３８上に配置される。プレート部４２ａの表面には、その下部にある取付部４２ｂまでを貫通する一対の軸孔５８ａ，５８ｂが設けられている。つまり軸孔５８ａ，５８ｂはケース４２全体を鉛直方向に貫通している。
【００４１】
取付部４２ｂは、プレート部４２ａの下部に設けられたブロック状部分である。取付部４２ｂは、上框３０ａの小口から中空部５９に嵌挿される。取付部４２ｂとプレート部４２ａとの間には、取付部４２ｂの外面から凹んだ取付溝４２ｄが形成されている。上框３０ａには、中空部５９と凹状部３８ａとを仕切る壁部の小口側に切欠部５９ａが形成されている（図３参照）。取付溝４２ｄは、この切欠部５９ａに対して上框３０ａの小口側から差し込まれる。
【００４２】
端面カバー部４２ｃは、鉛直方向に沿う薄いプレート状部分である。端面カバー部４２ｃは、プレート部４２ａと取付部４２ｂの側部に設けられている。プレート部４２ａと端面カバー部４２ｃは側面視略Ｌ字状を形成しており、このＬ字の内角側に取付部４２ｂが設けられている。端面カバー部４２ｃは、上框３０ａの小口を覆う部分である。
【００４３】
一方の軸孔５８ａには第１軸部材６０ａが挿入され、他方の軸孔５８ｂには第２軸部材６０ｂが挿入される。各軸孔５８ａ，５８ｂは１つのケース４２に形成されており、互いの軸間距離が拘束されている。このため各軸部材６０ａ，６０ｂ間、つまり各回転ローラ４４，４５間も軸間距離が拘束されている。
【００４４】
各軸部材６０ａ，６０ｂは、各軸孔５８ａ，５８ｂに対してそれぞれ軸方向に進退可能に挿入されている。ケース４２の取付部４２ｂ及び取付溝４２ｄには、鉛直方向に延びて外面に開口したスリット６１が形成されている（図６Ａ及び図６Ｂ参照）。スリット６１は各軸孔５８ａ，５８ｂにそれぞれ連通するように一対設けられている。各軸部材６０ａ，６０ｂの下端側には、それぞれストッパピン６２が設けられる。ストッパピン６２は、軸部材６０ａ，６０ｂに形成された直径方向の貫通孔に圧入され、外周面から突出した状態で保持される。各ストッパピン６２は、それぞれ各スリット６１内を上下動可能に設けられる。ストッパピン６２は、例えばスプリングピンと呼ばれる外径方向に伸縮可能な弾性を持ったピンである。
【００４５】
第１回転ローラ４４は、上段の大径部６６と、下段の小径部６７とを有する２段構造のローラである。第１回転ローラ４４は、第１軸部材６０ａの上端部に回転可能に支持される。第１軸部材６０ａの上端部には他の部分よりも大径部分が形成されている。この大径部分により、第１回転ローラ４４は第１軸部材６０ａの上端部に対して抜け止めされると共に軸方向に位置決めされる。第１回転ローラ４４の下面側は、第１軸部材６０ａの外周面に係合したストッパリング６４により、第１軸部材６０ａに対して抜け止めされると共に軸方向に位置決めされる。ストッパリング６４は、例えばＥリングと呼ばれる止め輪である。
【００４６】
第２回転ローラ４５は、第１回転ローラ４４と同様な形状を有し、同様な構造によって第２軸部材６０ｂの上端部に回転可能に支持される。このため、第２回転ローラ４５の細部については、第１回転ローラ４４と同一の符号を付して詳細な説明は省略する。第１回転ローラ４４及び第２回転ローラ４５は、硬質で自己潤滑性を持った樹脂等によって形成される。
【００４７】
図５Ａ〜図６Ｂに示すように、第１回転ローラ４４と第２回転ローラ４５とは、上框３０ａの見込み方向（Ｚ方向）及び長手方向（Ｘ方向）に対して互いに位置ずれして設けられ、その軸間距離が拘束されている。図６Ａ及び図６Ｂに示すように、各回転ローラ４４，４５は、各軸部材６０ａ，６０ｂと共に軸方向に進退自由である。この際、各軸部材６０ａ，６０ｂは各軸孔５８ａ，５８ｂに対して、下方には各回転ローラ４４，４５で抜け止めされ、上方にはストッパピン６２によって抜け止めされている。
【００４８】
本実施形態の場合、ガイド装置４０は、上框３０ａの長手方向両端部にそれぞれ装着される。左右のガイド装置４０，４０は、左右対称構造で構成される。ガイド装置４０は、上框３０ａの両端部にそれぞれ全く同じ構造のものを設けてもよく、１つの上框３０ａに３個以上設けてもよい。
【００４９】
次に、ガイドレール２２によるガイド装置４０のガイド構造及び作用を説明する。
【００５０】
図３に示すように、ガイド装置４０は、各回転ローラ４４，４５がそれぞれガイドレール２２の各レール溝５６，５７に対して小口側から挿入される。この際、上框３０ａの小口からプレート部４２ａを凹状部３８ａに嵌挿し、取付部４２ｂを中空部５９に嵌挿し、取付溝４２ｄを切欠部５９ａに嵌挿し、端面カバー部４２ｃを上框３０ａの小口に当てる。これにより、ケース４２が上框３０ａに固定され、回転ローラ４４，４５がガイドレール２２によって支持される。その結果、ガイド装置４０が上框３０ａに取付固定される。
【００５１】
上框３０ａに取付固定された状態で、ガイド装置４０は、各回転ローラ４４，４５の互いに対向する側の外周面がそれぞれレール片２６の各側面に当接配置される。具体的には、図３に示すように、第１回転ローラ４４は、大径部６６の外周面がレール片２６の浴室側の一側面に当接配置されると共に、大径部６６の外周面の下縁部が第１突出片２６ａの上面Ｓ１に当接配置される。第２回転ローラ４５は、大径部６６の外周面がレール片２６の脱衣室側の他側面に当接配置されると共に、大径部６６の外周面の下縁部が第２突出片２６ｂの上面Ｓ１に当接配置される。この際、ガイドレール２２は、各ガイド片２４，２８の側面が各回転ローラ４４，４５の外周面に当接しない見込み寸法に設定されている。また、上面Ｓ１，Ｓ２間の高低差Ｈ１により、各回転ローラ４４，４５の外周面の下縁部は各ガイド突出片２４ａ，２８ａの上面Ｓ２に当接しない。なお、実際の設置状態では、各回転ローラ４４，４５は、各突出片２６ａ，２６ｂに当接し、レール片２６の各側面には当接しない状態となってもよい。
【００５２】
このように、当該建具１０では、障子１４の開口枠１２への吊り込み時に調整の必要なく、各回転ローラ４４，４５は、互いの間にレール片２６を挟持した状態で、外周面の一面側がレール片２６に当接すると共に、外周面の下縁部が各突出片２６ａ，２６ｂに当接し、他面側はガイド片２４，２８に当接しない設置状態となる。この際、各回転ローラ４４，４５の軸間距離が拘束されている。このため、障子１４がスライドした場合、各回転ローラ４４，４５はレール片２６に対して当接しながら各軸部材６０ａ，６０ｂに対して所定の一方向に回転する。従って、各回転ローラ４４，４５の回転が円滑になり、ガイド装置４０によって障子１４のスライドが確実にガイドされる。特に、当該建具１０では、面材３２の見込み方向での設置位置により、障子１４は脱衣室側よりも浴室側に重心を持った構成となっている。このため、障子１４は、上縁部が浴室側に傾き易いが、ガイド装置４０によってこの傾きが確実に防止される。この際、高低差Ｈ１により、各回転ローラ４４，４５が各突出片２６ａ，２６ｂに当接すると同時に、各ガイド突出片２４ａ，２８ａに当接し、その回転が相殺されて円滑な回転ができなくなることを回避できる。
【００５３】
なお、ガイド片２４，２８は実質的に回転ローラ４４，４５のガイドには寄与しないため、省略してもよい。但し、障子１４が想定外の大きな外力を受けて軸部材６０ａ，６０ｂが変形したような場合であっても、ガイド片２４，２８を設けておくことで回転ローラ４４，４５のレール溝５６，５７からの脱落をより確実に防止し、障子１４の脱落防止を図ることができる場合等もある。
【００５４】
このような建具１０では、その製造誤差や組付誤差によって下枠１２ｂのレール１８が湾曲等を生じている場合がある。すなわち、通常の建具では製造誤差等によっては障子１４と上枠１２ａとの間のクリアランスが変動することがある。この点、当該建具１０ではスライド時に障子１４が上下動した場合であっても、各軸部材６０ａ，６０ｂがケース４２に対して軸方向に進退する。その結果、各回転ローラ４４，４５とガイドレール２２とのガイド状態は変化せず、障子１４のみが上下動することになる。つまり、回転ローラ４４，４５は常に定位置でレール片２６に対して当接する。このため、回転ローラ４４，４５がガイドレール２２に対して上下動して摩耗し、がたつきや異音を発生することや開閉力が重くなることも防止できる。このように、回転ローラ４４，４５はケース４２（上框３０ａ）に対して上下方向に相対的に進退自由となっているため、障子１４が上吊状態となることもなく、一層円滑なガイドが可能となっている。
【００５５】
当該建具１０では、仮に下框３０ｂの戸車３６がレール１８から脱輪した場合には障子１４が下方に落ちる。しかしながら、この脱輪時には、各回転ローラ４４，４５が各突出片２６ａ，２６ｂに係止された状態で、各軸部材６０ａ，６０ｂが各ストッパピン６２によってケース４２から抜け止めされる。このため、ガイド装置４０の上框３０ａに対する係合状態が維持され、障子１４が開口枠１２から脱落することが防止される。
【００５６】
当該建具１０では、一対の回転ローラ４４，４５は、互いに上框３０ａの長手方向（Ｘ方向）に位置ずれしている。これにより、障子１４をスライド方向に対して多少傾けることで、回転ローラ４４，４５間の間隔を拡大できる。このため、各回転ローラ４４，４５を各レール溝５６，５７に上框３０ａの小口側から挿入して取り付ける際の抵抗を低減できる。また、回転ローラ４４，４５がＸ方向に揃っていると、各回転ローラ４４，４５への負荷が異なる場合にレール片２６を挟み込む力がケース４２を水平方向に回転させる力に変換される可能性がある。この点、当該建具１０ではこのケース４２を回転させる力の発生も抑制できる。
【００５７】
図７は、本発明の第２の実施形態に係る建具１０Ａの縦断面図である。なお、第２の実施形態に係る建具１０Ａにおいて、上記第１の実施形態に係る建具１０と同一又は同様な機能及び効果を奏する要素には同一の参照符号を付し、詳細な説明を省略する。
【００５８】
図７に示すように、本実施形態の建具１０Ａは、図３に示すガイドレール２２と構造の異なるガイドレール２２Ａを備える。ガイドレール２２Ａは、浴室側から脱衣室側に向かって順に、第１レール片７０と、ガイド片７２と、第２レール片７４とを有する。
【００５９】
第１レール片７０、ガイド片７２、第２レール片７４は、それぞれ図３に示す第１ガイド片２４、レール片２６、第２ガイド片２８と略同一構成である。第１レール片７０の先端部には、第１ガイド突出片２４ａと略同様な第１突出片７０ａが設けられている。第２レール片７４の先端部には、第２ガイド突出片２８ａと略同様な第２突出片７４ａが設けられている。ガイド片７２の先端部には、第１突出片２６ａ及び第２突出片２６ｂと略同様な第１ガイド突出片７２ａ及び第２ガイド突出片７２ｂが設けられている。
【００６０】
この場合、ガイドレール２２Ａでは、第１ガイド突出片７２ａ及び第２ガイド突出片７２ｂの上面Ｓ３が、第１突出片７０ａ及び第２突出片７４ａの上面Ｓ４よりも低位置にある。これにより、上面Ｓ３，Ｓ４間に高低差Ｈ２が形成されている。つまり建具１０Ａの高低差Ｈ２は、図３に示した建具１０の高低差Ｈ１に対して内側の各ガイド突出片７２ａ，７２ｂと外側の各突出片７０ａ，７４ａの高さ関係が逆転している。
【００６１】
このような建具１０Ａでは、障子１４の開口枠１２への吊り込み時に調整の必要なく、ガイド装置４０は、上框３０ａに取付固定された状態で、各回転ローラ４４，４５の互いに対向しない側の外周面がそれぞれ各レール片７０，７４の各側面に当接配置される。具体的には、図７に示すように、第１回転ローラ４４は、大径部６６の外周面が第１レール片７０の側面に当接配置されると共に、大径部６６の外周面の下縁部が第１突出片７０ａの上面Ｓ４に当接配置される。第２回転ローラ４５は、大径部６６の外周面が第２レール片７４の側面に当接配置されると共に、大径部６６の外周面の下縁部が第２突出片７４ａの上面Ｓ４に当接配置される。この際、ガイドレール２２Ａは、ガイド片７２の両側面が各回転ローラ４４，４５の外周面に当接しない見込み寸法に設定されている。また、上面Ｓ３，Ｓ４間の高低差Ｈ２により、各回転ローラ４４，４５の外周面の下縁部は各ガイド突出片７２ａ，７２ｂの上面Ｓ３に当接しない。なお、実際の設置状態では、各回転ローラ４４，４５は、各突出片７０ａ，７４ａに当接するが、各レール片７０，７４の各側面には当接しない可能性もある。
【００６２】
このように、当該建具１０Ａでは、各回転ローラ４４，４５は、互いの外周面の外側が各レール片７０，７４に当接し、外周面の外側はガイド片７２に当接しない設置状態となる。この際、各回転ローラ４４，４５の軸間距離が拘束されている。このため、障子１４がスライドした場合、各回転ローラ４４，４５は各レール片７０，７４に対して当接しながら各軸部材６０ａ，６０ｂに対して所定の一方向に回転する。従って、各回転ローラ４４，４５の回転が円滑になり、ガイド装置４０によって障子１４のスライドが確実にガイドされる。つまり、上記した建具１０と同様な効果が得られる。
【００６３】
なお、ガイド片７２は実質的に回転ローラ４４，４５のガイドには寄与しないため、省略してもよい。但し、障子１４が想定外の大きな外力を受けて軸部材６０ａ，６０ｂが変形したような場合であっても、ガイド片７２を設けておくことで回転ローラ４４，４５のレール溝５６，５７からの脱落をより確実に防止し、障子１４の脱落防止を図ることができる場合等もある。
【００６４】
なお、本発明は、上記した実施形態に限定されるものではなく、本発明の主旨を逸脱しない範囲で自由に変更できることは勿論である。
【００６５】
上記各実施形態では、ガイド装置４０は一対の回転ローラ４４，４５を備える構成とした。しかしながら、一方の回転ローラ、例えば第２回転ローラ４５は回転ローラでなくてもよい。例えば第２回転ローラ４５に代えて、第２軸部材６０ｂに回転不能に固定され、第２回転ローラ４５と同様な外形を持った摺動部材（ガイド部材）を用いてもよい。
【００６６】
上記各実施形態では、ガイド装置４０は上框３０ａに装着するものとしたが、ガイド装置４０は縦框（戸先框３０ｃ及び召合せ框３０ｄ）の上端面に装着されてもよい。
【符号の説明】
【００６７】
１０  建具、１２  開口枠、１２ａ  上枠、１２ｂ  下枠、１２ｃ，１２ｄ  縦枠、１４，１５  障子、１８  レール、２２，２２Ａ  ガイドレール、２４  第１ガイド片、２４ａ，７２ａ  第１ガイド突出片、２６  レール片、２６ａ，７０ａ  第１突出片、２６ｂ，７４ａ  第２突出片、２８  第２ガイド片、２８ａ，７２ｂ  第２ガイド突出片、３０，５０  框体、３０ａ  上框、３０ｂ  下框、３０ｃ  戸先框、３０ｄ  召合せ框、３２，５２  面材、３６  戸車、４０  ガイド装置、４２  ケース、４４  第１回転ローラ、４５  第２回転ローラ、５６  第１レール溝、５７  第２レール溝、５８ａ，５８ｂ  軸孔、６０ａ  第１軸部材、６０ｂ  第２軸部材、６２  ストッパピン、７０  第１レール片、７２  ガイド片、７４  第２レール片
【図１】
2018112030.tif 000003
【図２】
2018112030.tif 000004
【図３】
2018112030.tif 000005
【図４】
2018112030.tif 000006
【図５Ａ】
2018112030.tif 000007
【図５Ｂ】
2018112030.tif 000008
【図６Ａ】
2018112030.tif 000009
【図６Ｂ】
2018112030.tif 000010
【図７】
2018112030.tif 000011